(57)【要約】【課題】  除湿した空気をベッドパッドに送風する場合に、空気の除湿により発生した熱を簡単で安価な構成により外部に放出することが可能な就寝装置を提供する。【解決手段】  除湿した空気を発生させる供給する空気供給装置２と、除湿された空気を拡散させるベッドパッド４と、空気供給装置２とベッドパッド４の間に配設され、空気供給装置２から供給された空気をベッドパッド４へと送り込む送風路５と、空気供給装置２を空気の除湿及び送風を制御する制御装置とを備える就寝装置１において、送風路５に当接し、送風路５よりも熱伝達率の高い放熱部材７が、送風路５の熱を外気と触れることで放熱する構成とした。【選択図】  図１
2011072560.tif 000002
【特許請求の範囲】
【請求項１】
除湿した空気を発生させて供給する空気供給装置と、
除湿された空気を拡散させるベッドパッドと、
前記空気供給装置と前記ベッドパッドの間に配設され、前記空気供給装置から供給された空気を前記ベッドパッドへと送り込む送風路と、
前記空気供給装置の空気の除湿及び送風を制御する制御装置とを備える就寝装置において、
前記送風路よりも熱伝達率の高い放熱部材が前記送風路に当接し、前記放熱部材を介して寝具へと放熱することを特徴とした就寝装置。
【請求項２】
前記放熱部材が前記寝台の側面と当接していることを特徴とする請求項１に記載の就寝装置。
【発明の詳細な説明】
【技術分野】
【０００１】
本発明は、除湿した空気をベッドパッドに送風する就寝装置に関するものである。
【背景技術】
【０００２】
従来の就寝装置では、就寝時に寝苦しさを解消するために冷却した空気を掛側寝具と敷側寝具との間に形成される就寝空間に送風すると共に、冷却した空気を作るために冷凍機を用いており、冷凍機を動作させる排熱を利用して寝具を乾燥させるようにした就寝装置が特許文献１に開示されている。
【先行技術文献】
【特許文献】
【０００３】
【特許文献１】特開平３−２２４５１３号公報
【発明の概要】
【発明が解決しようとする課題】
【０００４】
特許文献１では、夏季では就寝していない時間帯に冷凍機を運転して蓄冷し、就寝時間帯では冷凍機を停止し、寝具を冷房する。この場合、発生する排熱を利用して寝具を乾燥することができる構成となっている。特許文献１では掛側寝具と敷側寝具との間に形成される就寝空間に送風することができると共に、その空間に乾燥した空気を送風して寝具の乾燥を行うことができる。この場合、寝苦しさを解消するために空気を送付する場合には冷却装置が必要となり、温度調整のための構成が複雑となり、コストアップしてしまう。
【０００５】
そこで、本発明は、除湿した空気をベッドパッドに送風する場合に、空気の除湿により発生した熱を簡単で安価な構成により外部に放出することが可能な就寝装置を提供することを課題とする。
【課題を解決するための手段】
【０００６】
上記した課題を解決するために講じた手段は、
除湿した空気を発生させて供給する空気供給装置と、除湿された空気を拡散させるベッドパッドと、空気供給装置とベッドパッドの間に配設され、空気供給装置から供給された空気をベッドパッドへと送り込む送風路と、空気供給装置の空気の除湿及び送風を制御する制御装置とを備える就寝装置において、送風路よりも熱伝達率の高い放熱部材が送風路に当接し、前記放熱部材を介して寝台へと放熱する構成としたことである。
【０００７】
この場合、放熱部材が寝台の側面と当接していると良い。
【発明の効果】
【０００８】
送風路の材質よりも熱伝達率の高い材質の放熱部材が送風路に当接することで、送風路から放熱部材を介して寝台へと効率良く簡単な構成により放出される。この時、高価な冷却装置は必要なく、送風路の空気の温度は、送風される前に比べて下がる。また、除湿後に放出される空気は、乾燥及び吸湿によって熱が発生しているため外気の温度よりも高い。このため、送風路内の空気の熱を送風路に当接する放熱部材によって、寝台へと熱を外気に放出することで、冷却装置を使用とすることなく安価な簡単な構成により外気の温度に近づけることが可能である。この除湿された空気を冷却して、ベッドパッドへ送風することで、ペッドパッド内は、十分に除湿された状態を保つことができ、使用者に快適な睡眠環境を作り出すことができる。
【０００９】
この場合、放熱部材を寝台の側面と当接させれば、放熱部材のみを追加するだけで安価且つ簡単な構成で送風路から放熱部材が吸熱した熱を寝台へと放熱が可能となる。寝台は、外気と接する面積が十分にあるために、放熱部材だけの放熱よりも効率的に放熱できる。
【図面の簡単な説明】
【００１０】
【図１】本発明の実施形態における就寝装具の斜視図である。
【図２】図１に示す就寝装具における放熱部材の取り付け前の状態を示す図である。
【図３】図１に示す放熱部材及び送風路の断面図である。
【発明を実施するための形態】
【００１１】
以下、本発明の実施形態に係わる就寝装具１について、図１を参照にして説明する。図１は、本実施形態における就寝装具１の斜視図であり、図２は図１に示すマットレス３およびベッドパッド４を取り外し、後述する放熱部材７およびの送風路５を寝台６へ組付ける前の状態を示す。
【００１２】
就寝装具１は、図１に示すように、空気を除湿して除湿された空気を就寝装具１に対して送風する長方形状の空気供給装置２と、スプリング機能を有するマットレス３の上面に配置されると共に空気供給装置２からの除湿された空気を拡散させ寝床の表面温度及び湿度を下げて快適な睡眠環境を作るベッドパッド４と、空気供給装置２及びベッドパッド４を連続的に繋ぎ、除湿した空気をベッドパッド４の横に設けられた空気取入口から送風するクランク状の送風路５と、空気供給装置２を制御する制御装置（空気供給装置２の中に配設）とを備える。この場合、ベッドパッド４に空気取入口より導入された除湿された空気は、布製のキルティング加工が施されたベッドパッド４の表面から外部に逃げていくことにより、空気供給装置２が動作しているときにはベッドパッド４の蒸れを効果的に防止することができる。
【００１３】
図１に示す送風路５は、寝台６の長手方向の側面に沿って水平に延びる直線部５ａと、寝台６のヘッドボード側面に設けられる空気供給装置２から、直線部５ａへ空気を送る屈曲した送風部５ｂと、直線部５ａからマットレス３の上方に配設されるベッドパッド４の側面に対して延び、ベッドパッド４の中央部の側面からベッドパッド４の内部に対して広範囲（全域）に除湿した空気を供給する供給部５ｃで構成され、送風部５ｂと直線部５ａと供給部５ｃは内部が連通し連続し、空気供給装置２から送風される除湿した空気をベッドパッド４の内部に供給することが可能である。この直線部５ａには、送風路５の材質（例えば、ポリエチレン等）よりも熱伝達率の高いアルミ、鉄板等から塑性加工またはプレス成形された放熱部材７が取り付けられている。放熱部材７は、送風路５内の空気の熱を直線部５ａの広い面積で周方向の面から吸熱して、外気へ放出させると共に放熱部材７から寝台６へと効果的に放熱効果を持たせている。
【００１４】
次に、本発明の実施形態の放熱部材７について、図３を参照に説明する。図３は、直線部５ａが放熱部材７により固定されている断面を示している。
【００１５】
放熱部材７は、送風路５の直線部５ａの周囲を包囲して、寝台６と挟み込むようにボルト/ナットによりネジ止めや、溶接、熱伝導性のよい接着等の固定手段により寝台６の側面に取り付けられる。送風路５の供給路は、ベッドパッド４に空気を送るため、直線部５ａに対して鉛直方向に延びている。更に図３より、放熱部材７は、直線部５ａの両側に平行な直線部５ａと同程度の幅から外側に開いたフランジ状となった取付部７ａと、両側のフランジ状となった取付部７ａに対して垂直に延びる側壁部７ｂと、両側壁部７ｂを繋ぐ半円状の円壁部７ｃとで構成されている。この側壁部７ｂ及び円壁部７ｃの少なくとも１つが、直線部５ａと当接していることで、直線部５ａ内の熱が当接部から放熱部材７へと伝わり、放熱部材７から外気へと熱が放出され、直線部５ａ内の空気の温度が下がる。放熱部材７は、取付部７ａをねじで締める構造又は接着によって寝台６の側面へ取り付ける。
【００１６】
この場合、放熱部材７を放熱部材７よりも熱伝達率の同等又は高い材質（例えば、アルミ、アルミ合金、鉄、木材等）の寝台６の側面に取り付けた際は、放熱部材７の円壁部７ｃから側壁部７ｂに連続した取付部７ａと寝台６の側面との当接によって、放熱部材７の熱が寝台６に対して取付部７ａより伝わり、熱が外部に放熱されると共に寝台６からも効率よく放熱が行われる。また、送風路５の直線部５ａが直接寝台６に当接すると、空気の熱は直線部５ａから寝台６を通して外気へ放熱される。
【００１７】
次に、本実施形態の就寝装具１の温度調整について説明する。
【００１８】
本実施形態に示す空気供給装置２では、除湿材等によって除湿する場合に熱が発生する。この発生した熱は外気の温度よりも高くなる。空気供給装置２から送り出される空気は、除湿されているが、外気よりも高い温度となる。この空気が、送風路５の送風部５ｃを通って直線部５ａに送られることで放熱が行えるようになっている。この時、直線部５ａは、送風された空気の熱を吸熱するため表面温度も高くなっている。この直線部５ａと接する放熱部材７は、放熱部材７の内側と外側で温度差が異なり、内側が外側に比べて高温なために、熱は高温の内側から低温の外側へと移動し外気へと放熱する。これにより、直線部５ａ内の空気の温度は、外気温度に近づけることが可能となる。温度を下げられた空気は、供給部５ｃからベッドパッド４へと供給される。ベッドパッド４に供給された空気は、ベッドパッド４内で拡散させられる。使用者の寝床下に除湿されて外気と同程度の温度の空気が流れているので、使用者は、快適な睡眠環境を得る事が可能となる。
【００１９】
なお、本発明は前記実施形態に限定されるものではなく、以下に示す態様に変更してもよい。
【００２０】
・放熱部材７は、送風路５の直線部５ａを覆うような筒状の形状でも良い。この場合、上記実施形態の放熱部材７の構造に比べて、直線部５ａと放熱部材７が当接する面積は多くなるため、放熱部材７での放熱効率は増す。
【００２１】
・送風路５が寝台６の内側に設置されている場合、寝台内の通気が良い場所であれば送風路５の直線部５ａが寝台６の内側にあっても良い。この場合であっても、放熱部材７が取り付けられて外気と触れることが可能であれば、放熱部材７を通して直線部５ａの熱を放熱することが可能となる。
【００２２】
・送風路５が、放熱部材７のように熱伝達率の高い材質であっても良い。この場合、放熱部材７の効果を送風路５に持たすことで放熱が可能である。
【符号の説明】
【００２３】
１  就寝装置
２  空気供給装置
４  ベッドパッド
５  送風路
６  寝台
７  放熱部材
【図１】
2011072560.tif 000003
【図２】
2011072560.tif 000004
【図３】
2011072560.tif 000005